(57)【要約】ＵＳＢメモリ５０には、効果音等の様々な音データが保存されている。このＵＳＢメモリ５０をＵＳＢポート２に接続した状態で、所定のスイッチ３を操作すると、該スイッチ３に対応した音データがＵＳＢメモリ５０から取り込まれ、不図示のＤＡ変換手段や音出力手段によって即座に再生される。別のスイッチ３を操作すると、該スイッチ３に対応した音データが同様の方法で再生される。本発明によれば、音データはＵＳＢメモリ５０に保存されているので、該音データが他人により無断で使用されてしまう等の問題を回避することができる。
2008035431.tif 000002
【特許請求の範囲】
【請求項１】
複数の音データの内から所定の音データを適宜選択して再生するための音再生装置において、
複数の音データを割当てデータと共に保存する可搬性記憶媒体が接続可能なインタフェースと、
音データの選択及び再生を行うための複数のスイッチと、
前記割当てデータと前記スイッチとを関連付けることにより、操作されたスイッチに対応する音データを前記可搬性記憶媒体から取り込む制御手段と、
を備えたことを特徴とする音再生装置。
【請求項２】
前記制御手段により取り込まれた音データをアナログ信号に変換するＤＡ変換手段と、
該アナログ信号から音を再生する音出力手段と、
を備えたことを特徴とする請求項１に記載の音再生装置。
【請求項３】
前記可搬性記憶媒体はＵＳＢメモリである、
ことを特徴とする請求項１又は２に記載の音再生装置。
【請求項４】
可搬性記憶媒体に音データを保存する録音装置において、
ディスプレイ手段と、
請求項１乃至３に記載の音再生装置の複数のスイッチに対応した複数のスイッチオブジェクトを前記ディスプレイ手段に表示するスイッチオブジェクト表示手段と、
前記可搬性記憶媒体が接続可能なインタフェースと、
該インタフェースに接続された可搬性記憶媒体に転送可能な音データの音データオブジェクトを前記ディスプレイ手段に表示する音データオブジェクト表示手段と、
前記ディスプレイ手段にて行われるドラッグ・アンド・ドロップの操作に基づき、音データと、スイッチに関連付けるための割当てデータとを前記可搬性記憶媒体に伝送するデータ伝送手段と、
を備えたことを特徴とする録音装置。
【請求項５】
前記音データのファイルを可搬性記憶媒体に転送して録音する請求項４に記載の録音装置と、
該可搬性記憶媒体に保存されている音データの再生を行う請求項１乃至３のいずれか１項に記載の音再生装置と、
からなるファイル転送・再生システム。
【発明の詳細な説明】
【技術分野】
【０００１】
本発明は、複数の音データの内から所定の音データを適宜選択して再生するための音再生装置、録音装置、及びファイル転送・再生システムに関する。
【背景技術】
【０００２】
従来、音楽や動物の鳴き声等の様々な音を即座に再生することができる音再生装置（いわゆる“ポン出し機”と呼ばれるもの）については種々の構造のものが提案されており（例えば、特許文献１参照）、ラジオやテレビの放送局、イベント会場、ホール、シアター、スポーツ施設、駅、空港、披露宴会場、葬儀場などで幅広く使用されている。【０００３】
図４は、従来の音再生装置の構造の一例を示すブロック図であり、符号１００は、種々の音データが格納された内蔵メモリを示す。それらの音データは各スイッチＳＷ１，ＳＷ２に関連付けられていて、いずれかのスイッチＳＷ１又はＳＷ２が操作されると、そのスイッチＳＷ１又はＳＷ２に関連付けられた音がスピーカー１０１から出力されるようになっている。
【特許文献１】特開２００６−６５２２３号公報
【発明の開示】
【発明が解決しようとする課題】
【０００４】
しかしながら、上述のようにメモリ１００が内蔵されているタイプの音再生装置においては種々の問題があった。【０００５】
録音に際しては、音源（ＣＤプレーヤや、音データがストレージされている装置）と音再生装置とをケーブルにて接続する作業や、録音した音を所定のスイッチに割り付けるという作業等を行わなければならず、作業が煩雑であった。【０００６】
また、ラジオやテレビの放送局などにおいては、音再生装置自体はその放送局が所有し、複数の出入り業者がその音再生装置を共同使用することが一般に行われているが、録音した音データを無断で他の業者に使用されてしまうというような問題もあった。また、録音のための作業手順（つまり、ケーブルの接続手順や、スイッチへの関連付け作業等）を各業者に放送局の担当者が一々説明する必要があり、担当者の負担になっていた。【０００７】
さらに、録音施設の無い場所（例えば、屋外の会場）でイベントを行うような場合には、音再生装置をスタジオに持ち込んで、該スタジオにて録音作業を行う必要があるが、該録音作業をしている間はイベント会場で該装置を使用できないという問題があった。【０００８】
また、録音可能な音データ数は、内部メモリの容量に応じた制限を受けてしまうという問題もあった。【０００９】
そこで、本発明は、上述の問題を解消できる音再生装置、録音装置、及びファイル転送・再生システムを提供することを目的とするものである。
課題を解決するための手段【００１０】
請求項１に係る発明は、図１及び図２に例示するものであって、複数の音データの内から所定の音データを適宜選択して再生するための音再生装置（１）において、
複数の音データを割当てデータと共に保存する可搬性記憶媒体（５０）が接続可能なインタフェース（２）と、
音データの選択及び再生を行うための複数のスイッチ（３）と、
前記割当てデータと前記スイッチ（３）とを関連付けることにより、操作されたスイッチ（３）に対応する音データを前記可搬性記憶媒体（５０）から取り込む制御手段（４）と、を備えたことを特徴とする。【００１１】
請求項２に係る発明は、請求項１に係る発明において、前記制御手段（４）により取り込まれた音データをアナログ信号に変換するＤＡ変換手段（５）と、
該アナログ信号から音を再生する音出力手段（６）と、を備えたことを特徴とする。【００１２】
請求項３に係る発明は、請求項１又は２に記載の発明において、前記可搬性記憶媒体（５０）はＵＳＢメモリであることを特徴とする。【００１３】
請求項４に係る発明は、図３に例示するものであって、可搬性記憶媒体（５０）に音データを保存する録音装置（１０）において、
ディスプレイ手段（１１）と、
請求項１乃至３に記載の音再生装置（１）の複数のスイッチ（３）に対応した複数のスイッチオブジェクト（１３）を前記ディスプレイ手段（１１）に表示するスイッチオブジェクト表示手段（１４）と、
前記可搬性記憶媒体（５０）が接続可能なインタフェース（１６）と、
該インタフェース（１６）に接続された可搬性記憶媒体（５０）に転送可能な音データの音データオブジェクト（１７）を前記ディスプレイ手段（１１）に表示する音データオブジェクト表示手段（１８）と、
前記ディスプレイ手段（１１）にて行われるドラッグ・アンド・ドロップの操作に基づき、音データと、スイッチ（３）に関連付けるための割当てデータとを前記可搬性記憶媒体（５０）に伝送するデータ伝送手段（２０）と、を備えたことを特徴とする。【００１４】
請求項５に係る発明は、前記音データのファイルを可搬性記憶媒体（５０）に転送して録音する請求項４に記載の録音装置（１０）と、
該可搬性記憶媒体（５０）に保存されている音データの再生を行う請求項１乃至３のいずれか１項に記載の音再生装置（１）と、
からなるファイル転送・再生システムについてのものである。【００１５】
なお、括弧内の番号などは、図面における対応する要素を示す便宜的なものであり、従って、本記述は図面上の記載に限定拘束されるものではない。
【発明の効果】
【００１６】
請求項１乃至３に係る発明によれば、音データは、音再生装置自体に保存されるのではなく、取り外し可能な可搬性記憶媒体に保存されるので、自分が録音した音データが他人によって無断で使用されてしまうというような問題を回避することができる。また、可搬性記憶媒体の容量や個数は自由に増やすことができるので、保存可能な音データ数が制限を受けることは無い。【００１７】
請求項４に係る発明によれば、録音に際して、音再生装置と音源とをケーブルで接続したりする必要が無く、録音作業が簡素化されるという効果がある。また、ドラッグ・アンド・ドロップという直感的な手法により音データの転送及びスイッチへの割り付け作業が行えるので、録音作業を簡素化できる。さらに、パソコンと可搬性記憶媒体とがあれば音データを録音（保存）することができ、録音作業中であっても支障なく音再生装置を使用することができる。【００１８】
請求項５に係る発明によれば、上述の全ての効果を得ることができる。
【図面の簡単な説明】
【００１９】
【図１】図１は、本発明に係る音再生装置の外観の一例を示す平面図である。
【図２】図２は、該音再生装置の構造の一例を示すブロック図である。
【図３】図３は、本発明に係る録音装置の構成の一例を示す模式図である。
【図４】図４は、従来の音再生装置の構造の一例を示すブロック図である。
【符号の説明】
【００２０】
１            音再生装置
２            インタフェース（ＵＳＢポート）
３            スイッチ
４            制御手段
５            ＤＡ変換手段
６            音出力手段
１０          録音装置
１１          ディスプレイ手段
１３          スイッチオブジェクト
１４          スイッチオブジェクト表示手段
１６          インタフェース
１７          音データオブジェクト
１８          音データオブジェクト表示手段
２０          データ伝送手段
５０          可搬性記憶媒体（ＵＳＢメモリ）
【発明を実施するための最良の形態】
【００２１】
以下、図１乃至図３に沿って、本発明を実施するための最良の形態について説明する。ここで、図１は、本発明に係る音再生装置の外観の一例を示す平面図であり、図２は、該音再生装置の構造の一例を示すブロック図であり、図３は、本発明に係る録音装置の構成の一例を示す模式図である。【００２２】
本発明に係る音再生装置は、複数の音データの内から所定の音データ（人の声や音楽や自然の音等）を適宜選択して再生するための装置である。この音再生装置は、図１に符号１で例示するように、可搬性記憶媒体５０が接続可能なインタフェース２を備えていて、再生される複数の音データは該可搬性記憶媒体５０に保存されるようになっている。なお、図示の可搬性記憶媒体５０はＵＳＢメモリであって、インタフェース２はＵＳＢポートであるが、これらに限定されるものではない。ＵＳＢメモリの代わりにＳＤカード（登録商標）やメモリースティック（登録商標）やスマートメディア（登録商標）やコンパクトフラッシュ（登録商標）カードやＰＣカード等の公知の可搬性記憶媒体を用いても良く、ＵＳＢポートの代わりにＳＤカードスロットやメモリースティックスロットやスマートメディアスロットやコンパクトフラッシュカードスロットやＰＣカードスロットを用いても良い。【００２３】
また、本発明に係る音再生装置１は、音データの選択及び再生を行うためのスイッチ３を複数備えている。そして、前記可搬性記憶媒体５０においては、各音データは割当てデータ（アサインデータ）と共に保存されていて、音再生装置１の制御手段（図２の符号４参照）では、いずれかのスイッチ３が操作された場合に、前記割当てデータと前記スイッチとを関連付けることにより、操作されたスイッチに対応する音データ（デジタル信号）を前記可搬性記憶媒体５０から取り込むようになっている。また、該音再生装置１は、前記制御手段４により取り込まれた音データ（デジタル信号）をアナログ信号に変換するＤＡ変換手段５と、該アナログ信号から音を再生する音出力手段６と、を備えている。さらに、符号７に示すように、スピーカーを配置しても良い。【００２４】
なお、音再生装置１にディスプレイ部（図１の符号８参照）を設けておいて、各スイッチ３と、各スイッチ３に割り当てられている音データの内容とを関連付けて表示するようにしても良い。【００２５】
本発明によれば、音データは、音再生装置自体に保存されるのではなく、取り外し可能な可搬性記憶媒体５０に保存されるので、自分が録音した音データが他人によって無断で使用されてしまうというような問題を回避することができる。一方、上述したように、内部メモリに音データを保存するタイプの音再生装置の場合には、保存できる音データは内部メモリの容量に応じて制限されてしまうが、本発明の場合には、使用する可搬性記憶媒体５０の容量や個数に応じて音データの保存量を増やすことが可能となり、上述のような制限を受けることは無い。【００２６】
また、図２に示すように、音再生装置１にＬＥＤ等の発光手段３１を接続すると共に、再生される音に応じて該発光手段３１の光色及び／又は光量を変化させる発光制御手段３０を設けておいて、音楽等に合わせた光の演出を行えるようにしても良い。【００２７】
さらに、音再生装置１にディスプレイ装置３３を接続すると共に、再生している音データの付随情報（例えば、アーティスト名、曲名、発売日など）を出力する付随情報出力手段３２を設けておいて、ディスプレイ装置３３により付随情報を表示するようにしても良い。また、この音再生装置１をラジオやテレビの放送局等で使用する場合には、前記付随情報出力手段３２からの情報をホームページに送信するようにし、それらの付随情報をホームページにて表示するようにしても良い。さらに、前記付随情報出力手段３２からの情報をログ出力するようにしても良い。このような付随情報出力手段３２を設けた場合には、曲名等の付随情報を担当者がキー入力する必要が無くなり、担当者の労力軽減を図ることができる。【００２８】
さらに、音データではなくＴＥＸＴデータを可搬性記憶媒体５０に保存しておき、音再生装置１には音声合成手段（不図示）を設けておいて、所定のスイッチ３が操作されて該ＴＥＸＴデータが取り込まれた場合には、その文字データを読み上げるようにしても良い。【００２９】
ところで、前記可搬性記憶媒体５０には、上述したように、音データを各スイッチ３に割り当てた状態で保存（録音）する必要があるが、その録音は次のような録音装置で行うと良い。【００３０】
本発明に係る録音装置は、図３に符号１０で例示するように、ＣＲＴや液晶パネル等からなるディスプレイ手段１１と、前記音再生装置１の複数のスイッチ３に対応した複数のスイッチオブジェクト１３を前記ディスプレイ手段１１に表示するスイッチオブジェクト表示手段１４と、前記可搬性記憶媒体５０が接続可能なインタフェース１６と、該インタフェース１６に接続された可搬性記憶媒体５０に転送可能な音データの音データオブジェクト１７を前記ディスプレイ手段１１に表示する音データオブジェクト表示手段１８と、前記ディスプレイ手段１１にて行われるドラッグ・アンド・ドロップ（破線矢印１９参照）の操作に基づきデータを前記可搬性記憶媒体５０に伝送するデータ伝送手段２０と、を備えている。伝送されるデータとしては、
・  音データ（例えば、“Ａｕｄｉｏ１．ｗａｖ”のようなファイルデータ）
・  該音データをスイッチ３に関連付けるための割当てデータ（例えば、“２００６０６０６０００１．．ｋａｄ”のようなデータ）
を挙げることができる。また、音再生装置１のどの出力ピンに電圧出力するかを指示するデータ（例えば、“Ｉ／Ｏ  ＯＵＴ  ｐｉｎ５  Ｍａｋｅ”のような出力ピン指示データ）をも伝送するようにしても良い。【００３１】
なお、これらの録音装置はパソコンにソフトウェアをインストールすることによって構成すると良い。また、図３の符号１２は、音再生装置１の一部を示すオブジェクトであり、符号１２ａは、音再生装置１のディスプレイ部８を示すオブジェクトである。さらに、図３のスイッチオブジェクト１３は、スイッチを示すアイコンであるが、アイコン以外のオブジェクト（例えば、スイッチの個数分だけ区画された碁盤の目状の表のようなもの）であっても良い。また、図３の音データオブジェクト１７はファイル名であるが、もちろんこれに限られるものではなく、アイコン（例えば、鳥の鳴き声の音データの場合には鳥のアイコン等）としても、或いは、音データの内容を示す文字表示（例えば、“birdsong”のような文字表示）としても良い。【００３２】
本発明によれば、従来装置のように、録音に際して、音再生装置と音源とをケーブルで接続したりする必要が無く、録音作業が簡素化されるという効果がある。また、ドラッグ・アンド・ドロップという直感的な手法により簡単に音データの転送及びスイッチへの割り付け作業が行えるので、録音作業を簡素化できる。さらに、パソコンと可搬性記憶媒体５０とがあれば音データを録音（保存）することができ、録音作業中であっても支障なく音再生装置を使用することができる。【００３３】
ところで、可搬性記憶媒体５０に伝送する音データは、
・  録音装置の内部メモリに保存しておいても、
・  録音装置に接続する外部メモリ（可搬性記憶媒体以外のメモリ）に保存しておいても、
・  或いは、そのようなメモリを使用せずに、インターネットを介してダウンロードするようにしても、
いずれでも良い。【００３４】
そして、前記音データのファイルを可搬性記憶媒体５０に転送して録音する上述の録音装置１０と、該可搬性記憶媒体５０に保存されている音データの再生を行う上述の音再生装置１とによってファイル転送・再生システムが構築されることとなる。
【産業上の利用可能性】
【００３５】
本発明は、可搬性記憶媒体に保存されている音データをスイッチ操作によって自由に再生できるようになっているので、ラジオやテレビの放送局やイベント会場やホール等において効果音の再生等の用途に利用することができる。
【図１】
2008035431.tif 000003
【図２】
2008035431.tif 000004
【図３】
2008035431.tif 000005
【図４】
2008035431.tif 000006
【国際調査報告】
2008035431.tif 000007
2008035431.tif 000008